(57)【要約】      （修正有）【課題】ケーブルが接続するところの密封性を確保し、また、接続の安定性を保証する太陽電池モジュール用ジャンクションボックスを提供する。【解決手段】整合胴体１０と上カバーを含み、胴体１０内には導電部品３とダイオードが装着され、さらにＴリング８、中空の花籠７、ナット６、及びケーブル５の端部に鋲締める端子を含む。Ｔリング８の小端部は、花籠７に嵌まり、花籠７は、ナット６に嵌まり、胴体１０にナット６と整合するインタフェース１２が設けられ、Ｔリング８の大端部は、インタフェース１２にかしめ密封され、ナット６で固定され、端子は、Ｔリング８、花籠７、及びナット６を貫通し、導電部品３と接続する。【選択図】図３
0003177572.tif 000002
【実用新案登録請求の範囲】
【請求項１】
整合胴体（１０）と上カバー（１１）を含み、胴体（１０）内には導電部品（３）とダイオード（９）が装着され、
さらにＴリング（８）、中空の花籠（７）、ナット（６）、及びケーブル（５）の端部に鋲締める端子（４）を含み、
前記Ｔリング（８）の小端部は、花籠（７）に嵌まり、
花籠（７）は、ナット（６）に嵌まり、
胴体（１０）にナット（６）と整合するインタフェース（１２）が設けられ、
Ｔリング（８）の大端部は、インタフェース（１２）にかしめ密封され、ナット（６）で固定され、
前記端子（４）は、Ｔリング（８）、花籠（７）、及びナット（６）を貫通し、胴体（１０）内の導電部品（３）と接続することを特徴とする太陽電池モジュール用ジャンクションボッス。
【請求項２】
前記花籠（７）の胴体（１０）側の端面（７１）は、波浪状の曲面を呈し、
前記インタフェース（１２）には、端面（７１）と互いに噛み合わせる波浪状の曲面が設けられ、
花籠（７）の胴体（１０）から遠く離れる一端は、爪型を呈し、前記ナット（６）の内壁からナット（６）の中心軸へ収縮する円弧を次第に呈することを特徴とする請求項１に記載の太陽電池モジュール用ジャンクションボックス。
【請求項３】
前記花籠（７）の爪型が少なくとも３つの爪条（７２）からなり、
爪条（７２）の各々の端部には、ナット（６）のアーチ形の内壁と互いに適応整合する突起部（７３）が設けられていることを特徴とする請求項２に記載の太陽電池モジュール用ジャンクションボックス。
【請求項４】
前記胴体（１０）と上カバー（１１）とを互いにかぶせ合うところにオー・リング（１）が設けられていることを特徴とする請求項１に記載の太陽電池モジュール用ジャンクションボックス。
【請求項５】
前記導電部品（３）は、天蓋（２）を介して胴体（１０）内に固定されていることを特徴とする請求項１に記載の太陽電池モジュール用ジャンクションボックス。
【考案の詳細な説明】
【技術分野】
【０００１】
本考案は、太陽エネルギー変換技術に関し、特に、太陽電池モジュール用ジャンクションボックスに関する。
【背景技術】
【０００２】
太陽エネルギーは、それ自身が無害で容易に得られ、いつまでも消耗し尽くさないため、従来の石炭エネルギーが除々に太陽エネルギーに置き換えられている。ただし、太陽エネルギー変換コンポーネントの中で最も広く利用されている太陽電池モジュールは、工場や企業の大型発電に拘わらず、家庭用ミニソーラー発電などにも適用される。
【０００３】
従来技術における太陽電池モジュール用ジャンクションボックスとケーブルとを接続することには、２つの問題が存在する。
【０００４】
１つは、主に外部ケーブルが頻繁に移動するか揺動されるため、ケーブルと導電部品とが接触しているところが磨損するため、ジャンクションボックス内の導電部品と外部ケーブルとの導電性を長期間に渡り保持できない点である。
【０００５】
２つは、ジャンクションボックスとケーブルとが接続しているところにおいてもケーブルが揺動されるため、ジャンクションボックスの密封性能を維持することが困難な点であり、また、ジャンクションボックス内の部品は、高温多湿、低温多湿及び熱サイクルなどの要因の影響を受けやすく、正常に動作できない。
【考案の概要】
【考案が解決しようとする課題】
【０００６】
本考案は、従来のジャンクションボックスとケーブルとが接続しているところにおけるジャンクションボックスのシールの不安定性、及び従来のジャンクションボックスとケーブルとが接続しているところが損傷を受けやすいなどの問題を解決する太陽電池モジュール用ジャンクションボックスを提供することを目的とする。
【課題を解決するための手段】
【０００７】
上記目的を達成するために請求項１の考案は、整合胴体と上カバーを含み、胴体内には導電部品とダイオードが装着され、さらにＴリング、中空の花籠、ナット、及びケーブルの端部に鋲締める端子を含み、前記Ｔリングの小端部は、花籠に嵌まり、花籠は、ナットに嵌まり、胴体にナットと整合するインタフェースが設けられ、Ｔリングの大端部は、インタフェースにかしめ密封され、ナットで固定され、前記端子は、Ｔリング、花籠、及びナットを貫通し、胴体内の導電部品と接続するものである。
【０００８】
請求項２の考案は、前記花籠の胴体側の端面は、波浪状の曲面を呈し、前記インタフェースには、端面と互いに噛み合わせる波浪状の曲面が設けられ、花籠の胴体から遠く離れる一端は、爪型を呈し、前記ナットの内壁からナットの中心軸へ収縮する円弧を次第に呈するものである。
【０００９】
請求項３の考案は、前記花籠の爪型が少なくとも３つの爪条から構成され、爪条の各々の端部には、ナットのアーチ形の内壁と互いに整合する突起部が設けられているものである。
【００１０】
請求項４の考案は、前記胴体と上カバーとを互いにかぶせ合うところにオー・リングが設けられているものである。
【００１１】
請求項５の考案は、前記導電部品は、天蓋を介して胴体内に固定されているものである。
【考案の効果】
【００１２】
請求項１の考案によれば、ナットと花籠の当て嵌まりにより、Ｔリングをインタフェースに加締め、かつ、ケーブルと密圧着することによって、ジャンクションボックスとケーブルの接続のところの封止性を確保することができ、また、優れた防水、防湿、及び防塵の効果を有し、ナットと花籠はケーブルを固定し、端子と導電部品との相対位置を十分に固定して、外部のケーブルの揺動などで端子と導電部品の接触に影響が及ぼされることなく、優れた接続の安定性を保証することができる。さらに、簡単な構造で、取付操作しやすく、安定性の効果を持続させ、かつ部品とケーブルにも損傷がない。
【００１３】
請求項２の考案によれば、端子を導電部品に挿入した後で、ナットを締め、花籠が爪型を呈する一端を次第に内に収縮させ、Ｔリングを押圧して、Ｔリングにケーブルを締め付けさせ、密封の効果を果たすだけでなく、また、ケーブルが損傷していない場合には、端子と導電部品とを接続させ、外部ケーブルの揺動による接触不良現象の発生をなくすことができ、波浪状の曲面を呈する端面とインタフェースとを互いに噛み合わせた後で、ナットを締め付けるときに花籠がともに回転することを防止でき、磨耗の発生を防止できる。
【００１４】
請求項３の考案によれば、花籠がＴリングを締め付ける機能を同時に満足しているために、構造を簡素化したり、製作コストを更に低くすることができる。
【００１５】
請求項４の考案によれば、ジャンクションボックス全体の封止性を確保することができる。
【００１６】
請求項５の考案によれば、上カバーが導電部品をしっかり胴体に固定することにより、緩みによる接触不良と封止性に与える影響を防止でき、また、分解したり変更するのに便利である。
【図面の簡単な説明】
【００１７】
【図１】本考案の構造分解図である。
【図２】図１に示すような花籠を示す構造模式図である。
【図３】本考案の接続状態の模式図である。
【考案を実施するための形態】
【００１８】
以下、本考案を添付図面に示す実施形態例に基づき、更に詳細に説明する。
【００１９】
図１に示すように、太陽電池モジュール用ジャンクションボックスは、整合胴体１０と上カバー１１を含み、胴体１０内には導電部品３とダイオード９が装着され、この太陽電池モジュール用ジャンクションボックスは、さらにＴリング８、中空の花籠７、ナット６、及びケーブル５の端部に鋲締める端子４を含み、Ｔリング８の小端部は、花籠７に嵌まり、花籠７は、ナット６に嵌まり、胴体１０にナット６と整合するインタフェース１２が設けられ、Ｔリング８の大端部は、インタフェース１２にかしめ密封され、ナット６で固定され、端子４は、Ｔリング８、花籠７、及びナット６を貫通し、胴体１０内の導電部品３と接続する。
【００２０】
本考案の実施の形態において、図２に示すように、花籠７の胴体１０側の端面７１は、波浪状の曲面を呈し、インタフェース１２には、端面７１と互いに噛み合わせる波浪状の曲面が設けられ、花籠７の胴体１０から遠く離れた一端は、爪型を呈し、ナット６の内壁からナット６の中心軸へ収縮する円弧を次第に呈する。
【００２１】
端子４を導電部品３に挿入した後で、ナット６を締め、花籠７が爪型を呈する一端を次第に内に収縮させ、Ｔリング８を押圧して、Ｔリング８にケーブル５を締め付けさせ、密封の効果を果たすだけでなく、また、ケーブル５が損傷していない場合には、端子４と導電部品３とを接続させ、外部ケーブル５の揺動による接触不良現象の発生をなくすことができ、波浪状の曲面を呈する端面７１とインタフェース１２とを互いに噛み合わせた後で、ナット６を締め付けるときに花籠７がともに回転することを防止でき、磨耗の発生を防止できる。
【００２２】
また、花籠７の爪型は、８つの爪条７２から構成され、各爪条７２の端部にはナット６のアーチ形の内壁と整合する突起部７３が設けられ、この花籠７がＴリング８を締め付ける機能を同時に満足しているために、構造を簡素化したり、製作コストを更に低くすることができ、また、胴体１０と上カバー１１を互いにかぶせ合うところにオー・リング１が設けられ、ジャンクションボックス全体の封止性を確保することができ、なお且つ、導電部品３は、天蓋２を介して胴体１０内に固定され、天蓋２が導電部品３をしっかり胴体１０に固定することにより、緩みによる接触不良と封止性に与える影響を防止でき、また、分解したり変更するのに便利である。
【００２３】
図３の利用形態の模式図により、ナット６と花籠７の当て嵌まりにより、Ｔリング８をインタフェース１２に加締め、かつ、ケーブル５と密圧着することによって、胴体１０とケーブル５の接続のところの封止性を確保することができ、なお且つ、優れた防水、防湿、及び防塵の効果を有し、ナット６と花籠７はケーブル５を固定し、端子４と導電部品３との相対位置を十分に固定して、外部のケーブル５の揺動などで端子４と導電部品３の接触に影響が及ぼされることなく、優れた接続の安定性を保証することができる。
【符号の説明】
【００２４】
１    オー・リング
２    天蓋
３    導電部品
４    端子
５    ケーブル
６    ナット
７    花籠
８    Ｔリング
９    ダイオード
１０  胴体（整合胴体）
１１  上カバー
１２  インタフェース
７１  端面
７２  爪条
７３  突起部
【図１】
0003177572.tif 000003
【図２】
0003177572.tif 000004
【図３】
0003177572.tif 000005